(57)【要約】【課題】良好な採光及び通風を確保しつつ、開口部からの室内への騒音の侵入を遮蔽する。【解決手段】ベランダの手すり１の上側に複数の羽板５から構成されるルーバー装置２を設けるとともに、このベランダの天井部３に吸音材４を設ける。外部からの騒音は、この羽板の反射面５ａで反射されて、あるいは、直接上記天井部に向かい、上記吸音材で吸音される。この際吸音されなかった一部の騒音はベランダ内で反射された後に、上記羽板の反射面と異なる面に設けられた吸音面５ｂで吸音される。このように防音構造体を構成することにより、外部からの騒音を安価かつ効率的に遮蔽し得るとともに、ルーバー装置の各羽板の隙間及びルーバー装置と天井部の間の開口部において、良好な採光及び通風を確保できる。【選択図】図３
2009035922.tif 000002
【特許請求の範囲】
【請求項１】
建物のベランダに設けられ、室内に騒音が侵入するのを防止する防音構造体において、
上記ベランダの前縁に、複数の羽板（５）を上下方向に並列配置してルーバー装置（２）を構成するとともに、上記ベランダの天井部（３）に吸音材（４）を設け、上記各羽板（５）に反射面（５ａ）を設けたことを特徴とする防音構造体。
【請求項２】
上記羽板（５）の上記反射面（５ａ）の角度を調節自在にしたことを特徴とする請求項１に記載の防音構造体。
【請求項３】
上記羽板（５）の上記反射面（５ａ）が、この羽板（５）の前縁から後縁に向かう弧状面を有することを特徴とする請求項１又は２に記載の防音構造体。
【請求項４】
上記反射面（５ａ）の裏面に吸音面（５ｂ）を設けたことを特徴とする請求項１から３のいずれかに記載の防音構造体。
【請求項５】
上記羽板（５）の内部に空洞部を形成し、その空洞部に吸音材を設け、上記吸音面（５ｂ）に、上記羽板（５）の上記空洞部に通じる貫通孔（１１）を形成したことを特徴とする請求項４に記載の防音構造体。
【発明の詳細な説明】
【技術分野】
【０００１】
この発明は、建物のベランダに設けられ、室内に外部の騒音が侵入しないようにするための防音構造体に関する。
【背景技術】
【０００２】
道路や鉄道に面している建物は、その道路を通行する車等によって発生した騒音の影響を受けやすい。この騒音は、その建物のベランダから室内に侵入しやすいため、このベランダに面した窓や出入り口に、防音効果の高い防音サッシや多層ガラス等を設け、この騒音が室内に入りにくいようにする工夫が一般的になされている。しかしながら、この防音サッシ等は一般的に高価なので、建築コスト削減の要請のもとにおいては採用できないこともある。また、これらは上記窓や出入り口を閉めなければ上記防音効果が発揮できないため、騒音を抑制しつつ通風を確保することができない。
【０００３】
そこで、この防音サッシ等と比較して安価に防音効果を得るために、種々の方法が提案されている。
【０００４】
例えば、ベランダに、その手すりと天井部との間の開口部を遮蔽する遮蔽板を設け、その遮蔽板によって騒音が室内へ侵入するのを阻止する方法がある。この遮蔽板として、例えば開閉自在のシャッターを適用し得る。このシャッターは、上記開口部の開放度合いを適宜変え得るので、採光及び通風の確保と、騒音の遮蔽効果のいずれを優先するかについて適宜選択することができる（特許文献１の図３参照）。
【０００５】
【特許文献１】特開２００４−１６２２７４号公報
【０００６】
また、ベランダの側壁部及び天井部等に上記騒音を吸音し得る吸音材を設け、この吸音材で外部からの騒音を直接吸音して、この騒音が室内に侵入しないようにする方法もある（特許文献２の図１参照）。
【特許文献２】特開２００２−３３２７０１号公報
【発明の開示】
【発明が解決しようとする課題】
【０００７】
上記のように遮蔽板を設ける方法においては、十分な騒音遮蔽効果を得るためには、上記開口部の開放度合いをできるだけ小さくする、できれば、その開口部の全体を遮蔽板で覆うのが好ましい。しかしながら、このようにすると、室内への採光や通風が不十分となり、居住環境の面で好ましくない。
【０００８】
また、上記のように吸音材を設ける方法においては、その吸音材は居住者が歩行する床部に設けると歩行の妨げとなるので、その吸音材の設置はベランダの側壁部及び天井部に限定される。そのため、外部からの騒音が、吸音材を設けることができない床部とベランダの出入り口（ガラス戸等）との間で反響し、その結果、上記騒音が室内に侵入するおそれがある。
【０００９】
そこで、この発明は、ベランダからの良好な採光及び通風を確保しつつ、安価かつ効果的に、室内への騒音の侵入を遮蔽し得るようにすることを課題とする。
【課題を解決するための手段】
【００１０】
上記の課題を解決するため、この発明は、ベランダの開口部に騒音を反射し得る反射面を有するルーバー装置を設け、この反射面で反射した騒音がこのベランダの天井部に設けた吸音材に吸音されるように防音構造体を構成することとしたのである。
このルーバー装置は、これを構成する各羽板の間を通して採光及び通風を確保し得るとともに、騒音をこの羽板によって天井部に向けて反射するようにしたので、ベランダ内での反響が生じにくい。
【００１１】
この発明に係る防音構造体として、建物のベランダに設けられ、室内に騒音が侵入するのを防止する防音構造体において、上記ベランダの前縁に、複数の羽板を上下方向に並列配置してルーバー装置を構成するとともに、上記ベランダの天井部に吸音材を設け、上記各羽板に反射面を設けた構成とすることができる。
【００１２】
外部からの騒音は、上記羽板に設けた反射面で反射されて上記吸音材に到達し、この吸音材で吸音される。
上記羽板の材質としては、その表面で騒音を反射することができるものであれば特に限定されず、例えば鉄やプラスチック等の公知の材料を幅広く適用し得る。
また、上記吸音材としては、例えばグラスウール、ロックウール、ゴム、不織布等の公知の吸音材を幅広く適用し得る。
【００１３】
上記羽板の反射面の角度を調節自在とした構成も採用し得る。
【００１４】
例えば、この羽板の両端に、この羽板の長さ方向に突出した回転軸を設け、この回転軸を回転自在にルーバー装置枠に取り付けることができる。このようにすれば、各羽板の反射面で反射された反射音が確実に上記吸音材で吸音されるように、上記騒音の発生源の方向に対応して、この羽板の角度を適宜調節することができる。
【００１５】
このルーバー装置を構成する羽板の反射面は平面のみならず、この羽板の前縁から後縁に向かう弧状面を有する構成とすることもできる。
【００１６】
この反射面を弧状面とすることによって、羽板の角度調節をすることなく、地上から届く騒音（自動車等）及び上空から届く騒音（航空機等）をともに天井部の吸音材に向けて反射し得る。
【００１７】
また、上記反射面の裏面に吸音面を設ける構成とすることもできる。
【００１８】
上記のように騒音を上記天井部に設けた吸音材で吸音するようにした場合であっても、その騒音を完全に吸音できないことがあり、吸音されなかった一部の騒音がベランダの床面、側壁面あるいは出入り口のガラス戸等で反射してベランダ内で反響することがある。そこで、上記羽板に吸音面を設け、上記天井部又はベランダの後縁の建物外壁で反響した騒音をその吸音面で吸音するようにすれば、その反響を効果的に抑制し得る。
【００１９】
さらに、上記羽板の内部に空洞部を形成し、その空洞部に吸音材を設け、上記吸音面に、上記羽板の空洞部に通じる貫通孔を形成することもできる。
【００２０】
この羽板の内部に設ける吸音材として、上記天井部に設ける吸音材と同様に、グラスウールやロックウール等の公知のものを適用し得る。このように羽板内部に吸音材を設けることによって、騒音のエネルギー（振動エネルギー）が速やかにこの吸音材によって吸音され得るので、ベランダ内における騒音の反響が一層速やかに解消する。
【００２１】
また、このように貫通孔を設けることにより、この吸音面に到達した騒音の一部が、直接この羽板の空洞部に設けられた吸音材に到達し得る。そのため、この吸音材において騒音の吸音が一層効率的になされる。
【発明の効果】
【００２２】
この発明によると、良好な採光及び通風を確保しつつ、室内への騒音の侵入を遮蔽できる。
【発明を実施するための最良の形態】
【００２３】
図１から図６にこの発明の実施形態を示して説明する。
【００２４】
図１に示すように、この防音構造体は、ベランダの手すり１上側の開口部に設けたルーバー装置２と、このベランダの天井部３に設けた吸音材４とから構成される（同図（ａ）参照）。
このルーバー装置２は、複数枚の羽板５を上下に並列配置したものであって、各羽板５の両端は回転軸６を介してルーバー装置枠７に回転自在に取り付けられている（同図（ｂ）参照）。このルーバー装置２を設けた状態においても、このルーバー装置２の各羽板５の間の隙間を通して十分な採光及び通風を確保し得るとともに、ベランダの出入り口８から室内に騒音が侵入するのを防止し得る。
【００２５】
この羽板５の構造を図２に示す。この羽板５は２枚の断面「く」の字形のプラスチック板（反射面側プラスチック板９、及び、吸音面側プラスチック板１０）からなり、吸音面側プラスチック板１０の表面にはこのプラスチック板の表裏面に貫通する貫通孔１１が形成されている（同図（ａ）参照）。
また、この吸音面側プラスチック板１０の表面には貫通孔１１を回避して不織布（図示せず）が貼付されており、この吸音面における騒音の吸音をより効率的なものとしている。
【００２６】
この２枚のプラスチック板の端部を互いに突き合わせて、その内部に空洞を確保しつつ接合し、その内部に、予めその空洞部の形状に合わせて成形したグラスウール（図示せず）を詰め込む。最後にこの両端に、回転軸１２が突出して設けられたキャップ１３を嵌め込み、羽板５を完成する（同図（ｂ）参照）。
【００２７】
この羽板５において、貫通孔１１が形成されていない反射面側プラスチック板９からなる部分は反射面５ａを構成し、この反射面５ａで騒音を反射して、天井部３に設けた吸音材４でその騒音を吸音する。その一方で、貫通孔１１が形成されている吸音面側プラスチック板１０からなる部分は吸音面５ｂを構成し、この吸音面５ｂでベランダ内に侵入した騒音を吸音する。この吸音面に形成された貫通孔１１は、それを通して騒音の一部を羽板５内に直接取り込んで、その中のグラスウールで吸音し得るようにしている。
【００２８】
この羽板５をルーバー装置枠７に取り付ける際は、図１で示したように、上面が反射面５ａ、下面が吸音面５ｂとなるようにする。
【００２９】
この実施形態においては、天井部３にはその全面に吸音材４としてのグラスウールを設けている。この吸音材はこのように天井部の全面を覆うのが好ましいが、天井部３の構造上あるいは美観上の理由等で全面を覆うことができないことがある。
その場合は、ルーバー装置２の羽板５の枚数を増やしてルーバー装置上端と天井部との間の隙間を狭めたり、そのルーバー装置の羽板角度を適切に調節したりすることにより効果的に騒音を吸音し得る。
【００３０】
図２に示した羽板５を備えたルーバー装置２と、天井部３の吸音材４とによって外部の騒音が吸音される様子を、図３に騒音の伝達の様子を示して説明する。
ベランダが設置されている水平線よりも下方から騒音が伝わってくる場合において、その騒音は羽板５の反射面５ａで反射され、反射された騒音は天井部３の吸音材４で吸音される（同図（ａ）中のｎ１参照）。
また、ベランダに伝わる騒音の一部は、反射面５ａで反射されることなく直接吸音材４に到達して吸音される（同図（ａ）中のｎ２参照）。
【００３１】
ベランダに到達した騒音の一部は、天井部３の吸音材４で完全に吸音されることなく、そのままベランダ内に残留し、ベランダの床面及び壁面で反響することがある。このベランダ内に残留した騒音は、上記反響の際に羽板５の吸音面５ｂに当たり、この吸音面５ｂで吸音される（同図（ｂ）中のｎ３参照）。このため、たとえベランダ内に騒音が侵入したとしても、ベランダ内での騒音の反響は抑制される。
【００３２】
このルーバー装置２の高さ（羽板５の枚数）は、ベランダに伝わる騒音の角度によって適宜変えるようにすることもできる。例えば、高層住宅においては、図４で説明するように、天井部３の全面に吸音材４を設けた場合において、低層階（同図（ａ）参照）では騒音の侵入角度（同図（ａ）中のθ１参照）が小さいため、その騒音を吸音材４を設けた天井部３に到達させるためにはできるだけ開口部を狭くして多くの羽板５を設ける必要がある一方で、高層階（同図（ｂ）参照）では騒音の侵入角度（同図（ｂ）中のθ２参照）が大きいため、より少ない羽板５でその騒音を天井部３に到達させることもできる。
もちろん、低層階から高層階まで同じルーバー装置２を採用して、そのルーバー装置の羽板角度を調節して反射された騒音が天井部３の吸音材４に向かうようにしてもよい。
【００３３】
この羽板５の他の実施形態を図５及び図６に示して説明する。
【００３４】
図５に示す羽板５は、弧状に湾曲したプラスチック板（反射面側プラスチック板９）と、貫通孔１１が形成された平板状のプラスチック板（吸音面側プラスチック板１０）の２枚のプラスチック板で構成される（同図（ａ）参照）。
【００３５】
この２枚のプラスチック板の端部同士を突き合わせて空洞を確保しつつ接合し、その内部に、予めその空洞部の形状に合わせて加工したグラスウール（図示せず）を詰め込む。最後にこの両端に、突出して回転軸１２が設けられたキャップ１３を嵌め込み羽板５を完成する（同図（ｂ）参照）。
また、この吸音面側プラスチック板１０の表面には貫通孔１１を回避して不織布（図示せず）が貼付されており、この不織布により吸音面５ｂにおける騒音の吸音をより効率的なものとしている。
【００３６】
また、図６に示す羽板５では、反射面側プラスチック板９とともに吸音面側プラスチック板１０も弧状に湾曲したものを採用している。
このように、プラスチック板の形状を同一規格化することにより部品調達の点で低コスト化を図ることができるとともに、平板状と比較して弧状の方が騒音の吸収に寄与し得る表面積を多くとることができるので、吸音効率が一層高まる。
【００３７】
図５に示した羽板５を備えたルーバー装置２と、天井部３の吸音材４とによって外部の騒音が吸音され、又は、ベランダ外に反射される様子を図７において説明する。
このベランダには、地上からは自動車からの（同図（ａ）参照）、及び、上空からは航空機からの（同図（ｂ）参照）騒音が同時に届くものとする。このように騒音の発生源が複数ある場合においても、この騒音はこの弧状面をなす反射面５ａによって天井部３の吸音材４の方向に反射されてそこで吸音され、又は、ベランダ外に向けて反射される。そのため、ベランダの出入り口から室内に騒音が侵入するのを防止し得る。
また、騒音が天井部３の吸音材４で完全に吸音されなかった場合であっても、吸音面５ｂにおいてその騒音が吸音されるので、ベランダ内で騒音が反響するのが抑制される。
【図面の簡単な説明】
【００３８】
【図１】この発明に係る防音構造体の一実施形態に係るベランダを示し、（ａ）は断面図、（ｂ）は要部断面図
【図２】同実施形態に係る羽板（両面平板状）の斜視図であって、（ａ）はプラスチック板を突き合わせて接合した様子、（ｂ）は完成した様子
【図３】同実施形態における騒音の伝達を示すベランダの断面図であって、（ａ）は入射騒音の吸音の様子、（ｂ）は侵入した騒音の吸音の様子
【図４】同実施形態における騒音の伝達を示すベランダの断面図であって、（ａ）は低層階における反射の様子、（ｂ）は高層階における反射の様子
【図５】他の実施形態に係る羽板（片面弧状）の斜視図であって、（ａ）はプラスチック板を突き合わせて接合した様子、（ｂ）は完成した様子
【図６】他の実施形態に係る羽板（両面弧状）の斜視図であって、（ａ）はプラスチック板を突き合わせて接合した様子、（ｂ）は完成した様子
【図７】片面弧状の羽板を用いた場合における騒音の伝達を示すベランダの要部断面図であって、（ａ）は地上からの騒音に対する反射の様子、（ｂ）は上空からの騒音に対する反射の様子
【符号の説明】
【００３９】
１  手すり
２  ルーバー装置
３  天井部
４  吸音材
５  羽板
５ａ  反射面
５ｂ  吸音面
６  回転軸
７  ルーバー装置枠
８  出入り口
９  反射面側プラスチック板
１０  吸音面側プラスチック板
１１  貫通孔
１２  回転軸
１３  キャップ
【図１】
2009035922.tif 000003
【図２】
2009035922.tif 000004
【図３】
2009035922.tif 000005
【図４】
2009035922.tif 000006
【図５】
2009035922.tif 000007
【図６】
2009035922.tif 000008
【図７】
2009035922.tif 000009